【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
画像を表示する表示手段と、
撮影した画像を記録する場合に、該撮影画像の前記表示手段での表示を所定の保持期間の間、保持する制御手段とを有し、
前記制御手段は、前記保持期間の間に、撮影レンズに含まれる光学部材を駆動するアクチュエータを動作させることによって、前記光学部材を位置検出のための基準位値に駆動することを特徴とする撮像装置。
【請求項２】
前記光学部材は、摺動油が塗布された摺動部を有する機構によって支持されており、
前記制御手段は、前記保持期間の間に、前記光学部材をその可動範囲で往復動作させるように前記アクチュエータを動作させることを特徴とする請求項１に記載の撮像装置。
【請求項３】
前記制御手段は、前記保持期間の長さに応じて前記アクチュエータを動作させる時間、速度および回数のうち少なくとも１つを変更することを特徴とする請求項１又は２に記載の撮像装置。
【請求項４】
撮影した画像を記録する場合に該撮影画像の表示を所定の保持期間の間、保持する撮像装置に装着可能なレンズ装置であって、
前記撮像装置との通信を行う通信手段と、
前記撮像装置からの通信に応じて、前記保持期間の間に、該レンズ装置に含まれる光学部材を駆動するアクチュエータを動作させる制御手段とを有し、
前記制御手段は、前記保持期間の間に、前記光学部材を位置検出のための基準位値に駆動するよう前記アクチュエータを動作することを特徴とするレンズ装置。
【請求項５】
前記光学部材は、摺動油が塗布された摺動部を有する機構によって支持されており、
前記制御手段は、前記保持期間の間に、前記光学部材をその可動範囲で往復動作させるように前記アクチュエータを動作させることを特徴とする請求項４に記載のレンズ装置。
【請求項６】
前記制御手段は、前記保持期間の長さに応じて前記アクチュエータを動作させる時間、速度および回数のうち少なくとも１つを変更することを特徴とする請求項４又は５に記載のレンズ装置。
【請求項７】
請求項４から６のいずれか１つに記載のレンズ装置と、
該レンズ装置が装着され、撮影した画像を記録する場合に該撮影画像の表示を所定の保持期間の間保持する撮像装置とを有することを特徴とする撮像システム。
【手続補正２】
【補正対象書類名】明細書
【補正対象項目名】０００９
【補正方法】変更
【補正の内容】
【０００９】
本発明の一側面としての撮像装置は、画像を表示する表示手段と、撮影した画像を記録する場合に、該撮影画像の表示手段での表示を所定の保持期間の間、保持する制御手段とを有する。そして、制御手段は、該保持期間の間に、撮影レンズに含まれる光学部材を駆動するアクチュエータを動作させることによって、光学部材を位置検出のための基準位値に駆動することを特徴とする。
【手続補正３】
【補正対象書類名】明細書
【補正対象項目名】００１０
【補正方法】変更
【補正の内容】
【００１０】
また、本発明の他の側面としてのレンズ装置は、撮像装置との通信を行う通信手段と、撮像装置からの通信に応じて、保持期間の間に、該レンズ装置に含まれる光学部材を駆動するアクチュエータを動作させる制御手段とを有する。そして、制御手段は、該保持期間の間に、光学部材を位置検出のための基準位値に駆動するようアクチュエータを動作することを特徴とする。
【手続補正４】
【補正対象書類名】明細書
【補正対象項目名】００１５
【補正方法】変更
【補正の内容】
【００１５】
また、１０４はズームレンズユニット１０１の位置検出を行うズームエンコーダ１０４である。ズームエンコーダ１０４としては、ズームレンズユニット１０１を保持するレンズ保持部材と一体に移動するブラシを、固定鏡筒に固定された基板上に印刷された抵抗パターン上を摺動するように構成したボリューム抵抗を用いることができる。また、レンズ保持部材に取り付けられた光学式スケールに形成されたパターンを、固定鏡筒に固定されたフォトリフレクタ等によって検出するセンサを用いることもできる。
【手続補正５】
【補正対象書類名】明細書
【補正対象項目名】００２４
【補正方法】変更
【補正の内容】
【００２４】
静止画撮影モードにおいて、撮影スイッチ１２０により撮影（記録）が指示されないときは、信号処理回路１１５からの映像信号は、電子ビューファインダ１１７にリアルタイム映像としての「スルー画像」として表示される。一方、撮影スイッチ１２０により撮影が指示されたときは、信号処理回路１１５からの映像信号のうち１つの画像が静止画像（撮影画像）としてキャプチャされ、該静止画像は前述した外部記録媒体に記録される。また、このとき、該静止画像は、電子ビューファインダ１１７に「プレビュー画像」として所定の保持期間の間、表示される。保持期間の間、「プレビュー画像」の表示が保持された後は、自動的にスルー画像の表示に切り替わる。
【手続補正６】
【補正対象書類名】明細書
【補正対象項目名】００２９
【補正方法】変更
【補正の内容】
【００２９】
レンズ保持部材２０３は、固定鏡筒２０１によってその両端が支持されたガイドバー２０６と係合し、該ガイドバー２０６によって光軸方向にガイドされる。ガイドバー２０６とレンズ保持部材２０３との係合部（摺動部）には摺動油が塗布されている。これにより、所要の摺動摩擦を有した状態でレンズ保持部材２０３（フォーカスレンズユニット１０８）のスムーズな移動が可能となる。
【手続補正７】
【補正対象書類名】明細書
【補正対象項目名】００３０
【補正方法】変更
【補正の内容】
【００３０】
また、ボイスコイルモータとしてのリニアアクチュエータ１０９には、ヨーク２０７、マグネット２０８およびコイル２０９が設けられている。レンズ保持部材２０３により保持されたコイル２０９に駆動信号が与えられると、固定鏡筒２０１に取り付けられたマグネット２０８との間に発生した磁力が推力となり、レンズ保持部材２０３が光軸方向に駆動される。
【手続補正８】
【補正対象書類名】明細書
【補正対象項目名】００３８
【補正方法】変更
【補正の内容】
【００３８】
５０３は上記リニアアクチュエータ１０９およびステッピングモータ１０２（以下、これらをアクチュエータという）の再リセット動作タイミングを表し、Ｈｉｇｈ期間は再リセット動作期間を示す。
【手続補正９】
【補正対象書類名】明細書
【補正対象項目名】００４７
【補正方法】変更
【補正の内容】
【００４７】
具体的には、ＣＰＵ１１９は、フォーカスレンズユニット１０８およびズームレンズユニット１０１がその可動範囲の両端間を１又は複数回往復するようにリニアアクチュエータ１０９およびステッピングモータ１０２を駆動する。この往復動作により、再リセット動作前にレンズ保持部材２０３，３０３とガイドバー２０６，３０４との間に塗布されている摺動油にむらがあったとしても、該むらは解消される。すなわち、摺動油は、ガイドバー２０６，３０４におけるレンズユニット１０８，１０１の可動範囲に対応する部分の全体にむらなく行き渡る。
【手続補正１０】
【補正対象書類名】明細書
【補正対象項目名】００５２
【補正方法】変更
【補正の内容】
【００５２】
図６には、本発明の実施例２であるビデオカメラシステム（撮像システム）の構成を示している。このビデオカメラシステムは、ビデオカメラ６０２と、該ビデオカメラ６０２に着脱可能に装着される（装着可能）交換レンズ装置６０１とにより構成されている。
【手続補正１１】
【補正対象書類名】明細書
【補正対象項目名】００５８
【補正方法】変更
【補正の内容】
【００５８】
フォーカスエンコーダ６１６としては、実施例１で説明した各種エンコーダを使用することができる。本実施例では、フォーカスレンズユニット６１３を保持するレンズ保持部材に取り付けられた光学式スケールに形成されたパターンを、固定鏡筒に固定されたフォトリフレクタによって検出するエンコーダを用いる。この場合、固定鏡筒に固定されたフォトインタラプタとレンズ保持部材に取り付けられた遮光板とによりリセット基準位置を検出する。そして、その基準位置からフォーカスエンコーダ６１６によってリニアアクチュエータ６１４の駆動量をカウントし、該カウント数によってフォーカスレンズユニット６１３の位置を検出する。
【手続補正１２】
【補正対象書類名】明細書
【補正対象項目名】００９６
【補正方法】変更
【補正の内容】
【００９６】
本実施例では、プレビュー画像の表示保持期間の長さに応じて、各アクチュエータの再リセット動作を最適なスピードに変更する。すなわち、表示保持期間が短い場合には、再リセット動作を高速で行うことにより、再リセット動作の効果を確実に得られるようにしている。また、表示保持期間が長い場合には、再リセット動作を低速で行うことで、再リセット動作に伴う動作音の軽減を図ることができる。